(57)【特許請求の範囲】
【請求項１】
第１の記録媒体が着脱自在に装着される第１の装着部、及び第２の記録媒体が着脱自在に装着される第２の装着部を有する機器本体と、
基端側に配置された回動軸を回動支点として開閉方向に回動可能に前記機器本体に支持され、閉状態で前記第１の装着部を覆う第１のカバーと、
基端側に配置された回動軸を回動支点として開閉方向に回動可能に前記機器本体に支持され、閉状態で前記第２の装着部を覆う第２のカバーと、
前記機器本体に配置され、前記第１のカバーの開閉状態を検知する第１の検知手段と、
前記機器本体に配置され、前記第２のカバーの開閉状態を検知する第２の検知手段と、を備え、
前記第１のカバー及び前記第２のカバーは、閉状態で互いに先端壁が対向配置され、
前記第１のカバーの先端壁には、該第１のカバーの閉状態で前記第１の検知手段に検知される第１の操作突起が設けられるとともに、前記第１のカバーの閉状態で前記機器本体に係止される第１の係止突起が設けられ、
前記第２のカバーの先端壁には、該第２のカバーの閉状態で前記第２の検知手段に検知される第２の操作突起が設けられるとともに、前記第２のカバーの閉状態で前記機器本体に係止される第２の係止突起が設けられていることを特徴とする電子機器。
【請求項２】
前記第１の係止突起は、前記第１の操作突起に隣接して配置され、前記第２の係止突起は、前記第２の操作突起に隣接して配置されていることを特徴とする請求項１に記載の電子機器。
【請求項３】
前記機器本体には、前記第１の係止突起及び前記第２の係止突起がそれぞれ係止される共通の係止部が設けられていることを特徴とする請求項１又は２に記載の電子機器。
【請求項４】
前記第１の検知手段が前記係止部の一方側に配置され、前記第２の検知手段が前記係止部の他方側に配置されていることを特徴とする請求項３に記載の電子機器。
【請求項５】
前記第１のカバーの前記回動軸と前記第２のカバーの前記回動軸とは、互いに平行に配置されていることを特徴とする請求項１乃至４のいずれか１項に記載の電子機器。
【発明の詳細な説明】
【技術分野】
【０００１】
本発明は、メモリカード等の記録媒体の装着部を開閉自在に覆うカバー及び該カバーの開閉を検知する機構を有するデジタルビデオカメラ等の電子機器に関する。
【背景技術】
【０００２】
デジタルビデオカメラ等の電子機器では、メモリカード等の装着部に覆うカバーを機器本体に対して開閉方向に回動可能に支持したものが提案されている（特許文献１）。
【０００３】
この提案では、カバーの回動支点側の端部である基端部近傍に、閉状態で機器本体に設けた検知スイッチを押し操作する操作突起が設けられている。カバーの先端部と操作突起との間には、カバーの閉状態で機器本体に設けられた係止凹部に係止される係止部を有する弾性係止片が設けられている。
【０００４】
弾性係止片は、カバーが開状態から閉状態に移行する際、及び閉状態から開状態に移行する際に、機器本体に接触しながら弾性変形して、カバーに対して回動方向と逆方向の力を付与するようになっている。
【０００５】
また、カバーの回動支点側の端部である基端部近傍に操作突起を設け、カバーの閉状態で、該操作突起で機器本体に設けた検知スイッチを機器本体に片持ち支持した圧縮コイルばねを介して押し操作する技術が提案されている（特許文献２）。
【先行技術文献】
【特許文献】
【０００６】
【特許文献１】特許第３９１９６０５号公報
【特許文献２】特開平１１−８６６７０号公報
【発明の概要】
【発明が解決しようとする課題】
【０００７】
上記特許文献１では、カバーの回動支点側の端部である基端部近傍に検知スイッチを押し操作する操作突起を配置している。
【０００８】
このため、カバーの組付ガタ等によりカバーの開動作のタイミングと検知スイッチがカバーの開きを検知するタイミングとがずれる可能性がある。
【０００９】
また、上記特許文献２では、カバーが開動作する際に、圧縮コイルばねがある程度伸長した後に検知スイッチから離れるため、カバーの開状態を検知するタイミングが遅れてしまう。
【００１０】
このため、カバーの開動作のタイミングと検知スイッチがカバーの開きを検知するタイミングとのずれが大きくなり、検知スイッチによるカバーの開閉状態の検知結果の信頼性が低下する。
【００１１】
そこで、本発明は、カバーの開動作のタイミングと検知手段がカバーの開きを検知するタイミングとのずれを抑制して、検知手段によるカバーの開閉状態の検知結果の信頼性を高めることができる仕組みを提供することを目的とする。
【課題を解決するための手段】
【００１２】
上記目的を達成するために、本発明の電子機器は、第１の記録媒体が着脱自在に装着される第１の装着部、及び第２の記録媒体が着脱自在に装着される第２の装着部を有する機器本体と、基端側に配置された回動軸を回動支点として開閉方向に回動可能に前記機器本体に支持され、閉状態で前記第１の装着部を覆う第１のカバーと、基端側に配置された回動軸を回動支点として開閉方向に回動可能に前記機器本体に支持され、閉状態で前記第２の装着部を覆う第２のカバーと、前記機器本体に配置され、前記第１のカバーの開閉状態を検知する第１の検知手段と、前記機器本体に配置され、前記第２のカバーの開閉状態を検知する第２の検知手段と、を備え、前記第１のカバー及び前記第２のカバーは、閉状態で互いに先端壁が対向配置され、前記第１のカバーの先端壁には、該第１のカバーの閉状態で前記第１の検知手段に検知される第１の操作突起が設けられるとともに、前記第１のカバーの閉状態で前記機器本体に係止される第１の係止突起が設けられ、前記第２のカバーの先端壁には、該第２のカバーの閉状態で前記第２の検知手段に検知される第２の操作突起が設けられるとともに、前記第２のカバーの閉状態で前記機器本体に係止される第２の係止突起が設けられていることを特徴とする。
【発明の効果】
【００１３】
本発明によれば、カバーの開動作のタイミングと検知手段がカバーの開きを検知するタイミングとのずれを抑制して、検知手段によるカバーの開閉状態の検知結果の信頼性を高めることができる。
【図面の簡単な説明】
【００１４】
【図１】本発明の電子機器の実施形態の一例であるデジタルビデオカメラを説明するための斜視図である。
【図２】機器本体の後部における上部カバー及び下部カバーの部分拡大斜視図である。
【図３】図２に示す上部カバー及び下部カバーの両方を開いた状態を示す斜視図である。
【図４】図３のＡ−Ａ線断面図である。
【図５】上部カバーを閉じて下部カバーを開いた状態を示す斜視図である。
【図６】上部カバーを開いて下部カバーを閉じた状態を示す斜視図である。
【発明を実施するための形態】
【００１５】
以下、本発明の実施形態の一例を図面を参照して説明する。
【００１６】
図１は、本発明の電子機器の実施形態の一例であるデジタルビデオカメラを説明するための斜視図である。
【００１７】
図１に示すように、本実施形態のデジタルビデオカメラは、機器本体１０１の前部にレンズ部１０２が配置され、機器本体１０１の上部に把持部１０３が配置されている。把持部１０３の前部には、集音マイク部１０５が配置され、把持部１０３の後部には、ファインダー１０４が配置されている。
【００１８】
また、機器本体１０１の後部には、バッテリの装着部を開閉自在に覆うバッテリカバー１０６、並びにメモリカードの装着部を開閉自在に覆う上部カバー１１１及び下部カバー１１５が配置されている。上部カバー１１１及び下部カバー１１５は、バッテリカバー１０６の上方位置で上下に並んで配置されている。ここで、上部カバー１１１は、本発明の第１のカバーの一例に相当し、下部カバー１１５は、本発明の第２のカバーの一例に相当する。
【００１９】
図２は、機器本体１０１の後部における上部カバー１１１及び下部カバー１１５の部分拡大斜視図である。
【００２０】
図２に示すように、上部カバー１１１は、上側を基端として該基端側に配置された機器本体１０１の厚さ方向（図の左右方向）に延びる回動軸１１４を回動支点として、開閉方向に回動可能に機器本体１０１に支持されている。
【００２１】
上部カバー１１１には、閉状態の上部カバー１１１を機器本体１０１に係止する操作及び該係止を解除する操作を行う為の操作ノブ１１２と、スロット１２３ａに装着されたメモリカード１２３（図３参照）を外部から視認する為の窓部１１３とが配置されている。ここで、スロット１２３ａは、本発明の第１の装着部の一例に相当し、メモリカード１２３は、本発明の第１の記録媒体の一例に相当する。
【００２２】
一方、下部カバー１１５は、下側を基端として該基端側に配置された、回動軸１１４と略平行に延びる回動軸１１８を回動支点として、開閉方向に回動可能に機器本体１０１に支持されている。
【００２３】
下部カバー１１５には、閉状態の下部カバー１１５を機器本体１０１に係止する操作及び該係止を解除する操作を行う為の操作ノブ１１６と、スロット１２８ａに装着されたメモリカード１２８（図３参照）を外部から視認する為の窓部１１７とが配置されている。スロット１２８ａは、本発明の第２の装着部の一例に相当し、メモリカード１２８は、本発明の第２の記録媒体の一例に相当する。
【００２４】
ここで、図２の状態では、上部カバー１１１及び下部カバー１１５は、いずれも閉じられており、かかる閉状態では、上部カバー１１１の先端壁及び下部カバー１１５の先端壁は、互いに対向配置されている。
【００２５】
図３は、図２に示す上部カバー１１１及び下部カバー１１５の両方を開いた状態を示す斜視図である。
【００２６】
図３に示すように、上部カバー１１１の先端壁において、回動軸１１４の軸線方向の略中央部には、操作ノブ１１２の操作に連動して回動軸１１４の軸線方向に移動する係止片１１２ａが閉方向に突出して設けられている。
【００２７】
また、上部カバー１１１の先端壁には、上部カバー１１１の開閉状態を検知する後述する検知スイッチ１４３をレバー部１２１を介して押し操作するための操作突起１１１ｂが設けられている。操作突起１１１ｂは、係止片１１２ａに対して回動軸１１４の軸線方向の一方側（図の左側）に隣接して配置されている。ここで、操作突起１１１ｂは、本発明の第１の操作突起の一例に相当する。
【００２８】
一方、下部カバー１１５の先端壁において、回動軸１１８の軸線方向の略中央部には、操作ノブ１１６の操作に連動して回動軸１１８の軸線方向に移動する係止片１１６ａが閉方向に突出して設けられている。
【００２９】
また、下部カバー１１５の先端壁には、下部カバー１１５の開閉状態を検知する後述する検知スイッチ１４５をレバー部１２６を介して押し操作するための操作突起１１５ｂが設けられている。操作突起１１５ｂは、係止片１１６ａに対して回動軸１１４の軸線方向の他方側（図の右側）に隣接して配置されている。ここで、操作突起１１５ｂは、本発明の第２の操作突起の一例に相当する。
【００３０】
機器本体１０１において、上部カバー１１１に覆われる部位にはメモリカード１２３が着脱自在に装着されるスロット１２３ａが設けられ、下部カバー１１５に覆われる部位にはメモリカード１２８が着脱自在に装着されるスロット１２８ａが設けられている。
【００３１】
スロット１２３ａ，１２８ａは、回動軸１１４に沿って長い矩形状の開口を有しており、長手方向の端部には、スロット１２３ａ，１２８ａに装着されたメモリカード１２３，１２８を取り外すための操作ボタン１２４，１２９が配置されている。
【００３２】
機器本体１０１のスロット１２３ａとスロット１２８ａとの間には、上部カバー１１１及び下部カバー１１５の閉状態で、それぞれ係止片１１２ａ及び係止片１１６ａが挿入可能な係止凹部１２５が配置されている。
【００３３】
機器本体１０１において、係止凹部１２５の回動軸１１４の軸線方向の一方側（図の左側）には、上部カバー１１１の閉状態で該上部カバー１１１の操作突起１１１ｂに押し操作されるレバー部１２１が配置されている。
【００３４】
また、機器本体１０１において、係止凹部１２５の回動軸１１４の軸線方向の他方側（図の右側）には、下部カバー１１５の閉状態で該下部カバー１１５の操作突起１１５ｂに押し操作されるレバー部１２６が配置されている。このように、レバー部１２１とレバー部１２６とを係止凹部１２５の回動軸１１４の軸線方向に分けて配置することで、スロット１２３ａとスロット１２８ａとの間隔を小さくすることができる。
【００３５】
なお、本実施形態では、メモリカード１２３，１２８は、同一のフォーマットとし、また、メモリカード１２３，１２８のスロット１２３ａ，１２８ａに対する着脱方向は、カバー１１１，１１５の開閉方向としているが、これに限定されるものではない。
【００３６】
図４は、図３のＡ−Ａ線断面図である。図４に示すように、機器本体１０１において、レバー部１２１の底部側にレバーばね１４２が配置され、レバー部１２６の底部側にもレバーばね１４４が配置されている。
【００３７】
また、機器本体１０１には、上部カバー１１１の操作突起１１１ｂでレバー部１２１がレバーばね１４２の付勢力に抗して押し操作された際に、レバー部１２１によりアクチュエータ１４３ａが操作されてスイッチが切り替わる検知スイッチ１４３が設けられている。なお、上部カバー１１１の操作突起１１１ｂによるレバー部１２１の押し操作が解除された際には、レバーばね１４２の付勢力によりレバー部１２１が元の位置に復帰する。ここで、レバー部１２１、検知スイッチ１４３及びレバーばね１４２は、本発明の第１の検知手段の一例に相当する。
【００３８】
同様に、機器本体１０１には、下部カバー１１５の操作突起１１５ｂでレバー部１２６がレバーばね１４４の付勢力に抗して押し操作された際に、レバー部１２６によりアクチュエータ１４５ａが操作されてスイッチが切替わる検知スイッチ１４５が設けられている。なお、下部カバー１１５の操作突起１１５ｂによるレバー部１２６の押し操作が解除された際には、レバーばね１４４の付勢力によりレバー部１２６が元の位置に復帰する。ここで、レバー部１２６、検知スイッチ１４５及びレバーばね１４４は、本発明の第２の検知手段の一例に相当する。
【００３９】
また、係止凹部１２５のレバー部１２６側の縁部には、係止片１１２ａに設けた係止突起１１２ｃ及び係止片１１６ａに設けた係止突起１１６ｃがそれぞれ係脱自在に係止される共通の係止部１２５ａが設けられている。係止突起１１２ａは、本発明の第１の係止突起の一例に相当し、係止突起１１６ｃは、本発明の第２の係止突起の一例に相当する。
【００４０】
係止部１２５ａには、上部カバー１１１の閉状態で、操作ノブ１１２を窓部１１３から離間する方向に移動させた際に該移動に連動して同方向に移動する係止片１１２ａの係止突起１１２ｃが係止される。これにより、上部カバー１１１の閉状態が維持される。
【００４１】
上部カバー１１１を開く際には、操作ノブ１１２を窓部１１３に接近する方向に移動させることで、該移動に連動させて係止片１１２ａを同方向に移動させる。これにより、係止片１１２ａの係止突起１１２ｃと係止部１２５ａとの係止が解除され、上部カバー１１１を開くことが可能となる。
【００４２】
また、係止部１２５ａには、下部カバー１１５の閉状態で、操作ノブ１１６を窓部１１７から離間する方向に移動させた際に該移動に連動して同方向に移動する係止片１１６ａの係止突起１１６ｃが係止される。これにより、下部カバー１１５の閉状態が維持される。
【００４３】
下部カバー１１５を開く際には、操作ノブ１１６を窓部１１７に接近する方向に移動させることで、該移動に連動させて係止片１１６ａを同方向に移動させる。これにより、係止片１１６ａの係止突起１１６ｃと係止部１２５ａとの係止が解除され、下部カバー１１５を開くことが可能となる。
【００４４】
図５は上部カバー１１１を閉じて下部カバー１１５を開いた状態を示す斜視図、図６は上部カバー１１１を開いて下部カバー１１５を閉じた状態を示す斜視図である。
【００４５】
図５に示すように、上部カバー１１１を閉じた状態で、下部カバー１１５を開方向に回動させて開いた状態では、比較的広いメモリカード１２８の着脱スペースを確保して、メモリカード１２８を着脱しやすくしている。
【００４６】
また、図６に示すように、下部カバー１１５を閉じた状態で、上部カバー１１１を開方向に回動させて開いた状態においても、比較的広いメモリカード１２３の着脱スペースを確保して、メモリカード１２３を着脱しやすくしている。
【００４７】
ここで、図５に示す状態では、上部カバー１１１が閉状態であるため、上述したように、検知スイッチ１４３が切り替わって、スロット１２３ａに装着されたメモリカード１２３と機器本体１０１の回路との間で通信が行われる。これにより、メモリカード１２３に撮影画像を記録することが可能となる。
【００４８】
また、図５に示す状態では、下部カバー１１５が開状態であるため、上述したように、レバー部１２６が元の位置に復帰して検知スイッチ１４５が切り替わり、スロット１２８ａに装着されたメモリカード１２８と機器本体１０１の回路との通信が遮断される。これにより、メモリカード１２８の着脱（交換）が可能となる。
【００４９】
一方、図６に示す状態では、下部カバー１１５が閉状態であるため、上述したように、検知スイッチ１４５が切り替わって、スロット１２８ａに装着されたメモリカード１２８と機器本体１０１の回路との間で通信が行われる。これにより、メモリカード１２８に撮影画像を記録することが可能となる。
【００５０】
また、図６に示す状態では、上部カバー１１１が開状態であるため、上述したように、レバー部１２１が元の位置に復帰して検知スイッチ１４３が切り替わり、スロット１２３ａに装着されたメモリカード１２３と機器本体１０１の回路との通信が遮断される。これにより、メモリカード１２３の着脱（交換）が可能となる。
【００５１】
このように、本実施形態では、上部カバー１１１及び下部カバー１１５のうち、一方のカバーを閉じて一方のメモリカードに撮影画像を記録しながら、他方のカバーを開いて他方のメモリカードを交換することができる。これにより、メモリカードの交換時に撮影を中止することなく、連続して撮影画像をメモリカードに記録することができる。
【００５２】
以上説明したように、本実施形態では、上部カバー１１１及び下部カバー１１５のいずれも、回動支点から最も離れた先端壁に、レバー部１２１，１２６を介して検知スイッチ１４３，１４５を押し操作する操作突起１１１ｂ，１１５ｂを配置している。従って、上部カバー１１１及び下部カバー１１５を閉状態から開方向に回動させる際に、少ない回動角度で検知スイッチ１４３，１４５を切り換えることができる。
【００５３】
これにより、上部カバー１１１及び下部カバー１１５の開動作のタイミングと検知スイッチ１４３，１４５が上部カバー１１１及び下部カバー１１５の開きを検知するタイミングとのずれを抑制することができる。この結果、機器本体１０１とメモリカードとの通信遮断を迅速に行うことができ、検知スイッチ１４３，１４５によるカバーの開閉状態の検知結果の信頼性を高めることができる。
【００５４】
また、閉状態の上部カバー１１１及び下部カバー１１５を機器本体１０１に係止するための係止突起１１２ｃ，１１６ｃも同様に、上部カバー１１１及び下部カバー１１５の回動支点から最も離れた先端壁に操作突起１１１ｂ，１１５ｂに隣接して配置している。
【００５５】
これにより、上部カバー１１１及び下部カバー１１５の組付ガタ等による浮き角度を小さくすることができ、より小さい開き角度で上部カバー１１１及び下部カバー１１５の開状態を検知して、機器本体１０１とメモリカードとの通信を遮断することができる。
【００５６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５７】
１０１  機器本体
１１１  上部カバー
１１２ｃ  係止突起
１１４  回動軸
１１５  下部カバー
１１６ｃ  係止突起
１１８  回動軸
１２５ａ  係止部
１４３  検知スイッチ
１４５  検知スイッチ
【図１】
0005517699.tif 000002
【図２】
0005517699.tif 000003
【図３】
0005517699.tif 000004
【図４】
0005517699.tif 000005
【図５】
0005517699.tif 000006
【図６】
0005517699.tif 000007